(57)【要約】【課題】リムーバブルメモリを接続した際に、ユーザの意思を反映させながら画像処理装置の設定を行うことが可能なシステムを提供する。【解決手段】画像処理装置の設定のためのデータが格納されたリムーバブルメモリが装着されたことを検出する装着検出手段と、そのリムーバブルメモリの装着の際に特定の入力キーが操作されたかどうかを検知するキー操作検知手段とを備える。また、リムーバブルメモリが装着され、かつ特定の入力キーの操作が検知されたことにより、画像処理装置の設定を実行するか又は実行しないように制御する設定制御手段を備える。これによりユーザは、リムーバブルメモリの装着時に入力キーを操作するか又はしないかを選択することにより、設定を実行するか又はしないかを決めることができる。【選択図】図７
2007274459.tif 000002
【特許請求の範囲】
【請求項１】
リムーバブルメモリが装着される画像処理装置の設定を行うシステムであって、
前記画像処理装置の設定のためのデータが格納された前記リムーバブルメモリが装着されたことを検出する装着検出手段と、
前記リムーバブルメモリの装着の際に特定の入力キーが操作されたかどうかを検知するキー操作検知手段と、
前記リムーバブルメモリが装着され、かつ前記特定の入力キーの操作が検知されたことにより、前記画像処理装置の前記設定を実行するか又は実行しないように制御する設定制御手段と、
を備えることを特徴とする画像処理装置設定システム。
【請求項２】
前記入力キーは複数個設けられ、
それぞれの前記入力キーに、異なる種類の前記設定が予め対応付けられており、
前記キー操作検知手段は前記複数個の入力キーのうち、どの入力キーが操作されたかを検知し、
前記設定制御手段は、前記操作された入力キーに対応する前記設定に関して実行するか又は実行しない制御を行う請求項１記載の画像処理装置設定システム。
【請求項３】
前記リムーバブルメモリが装着され且つ前記特定の入力キーの操作が検知されなかった場合に、前記リムーバブルメモリに格納された画像データを読み出して印刷するダイレクト印刷モードに移行し、前記リムーバブルメモリが装着され且つ前記特定の入力キーの操作が検知された場合に、前記画像処理装置の設定モードに移行するモード移行手段を備える請求項１または２記載の画像処理装置設定システム。
【請求項４】
前記リムーバブルメモリに格納された前記画像データと前記設定データのうち、前記ダイレクト印刷モードでは前記画像データのみを表示し、前記設定モードでは前記設定データのみを表示するように制御する表示制御手段を備える請求項３記載の画像処理装置設定システム。
【請求項５】
リムーバブルメモリが装着される画像処理装置の設定を行うシステムであって、
前記画像処理装置の設定のためのデータが格納された前記リムーバブルメモリが装着されたことを検出する装着検出手段と、
前記リムーバブルメモリの装着の際に特定の入力キーが操作されなかったかどうかを検知するキー操作検知手段と、
前記リムーバブルメモリが装着され、且つ前記特定の入力キーの操作がされなかったことが検知されたことにより、前記画像処理装置の前記設定を実行しないように制御する設定制御手段と、
を備えることを特徴とする画像処理装置設定システム。
【発明の詳細な説明】
【技術分野】
【０００１】
本発明は画像処理装置設定システムに関するものである。
【背景技術】
【０００２】
ＦＡＸやコピー機等の画像処理装置には操作キーや表示部が設けられている。画像処理装置の設定変更をする際には、設定変更メニューが表示部に表示され、ユーザはそのメニューを見ながら操作キーを操作して設定変更を行う。例えば一部の機能を利用不可にしたり、ＩＤ情報を書き換えたりする設定変更を行う。
【０００３】
画像処理装置の設定変更をするシステムに関しては、従来から様々なものが開発されている。例えば下記特許文献１には、初期条件の設定変更を容易に行うためのプリンタが開示されている。
【特許文献１】特開平５−８５０２０号公報
【発明の開示】
【発明が解決しようとする課題】
【０００４】
従来技術では、予め装置に内蔵されているデータを、予め装置に内蔵されているプログラムが指示する値に書き換えることしかできないため、内蔵プログラムの中に情報が無いものに書き換えることはできない。例えば、内蔵プログラムを新たなものに更新することができない。また、内蔵パラメータを新たな値に更新することができない。この課題を解決するために、画像処理装置の内蔵プログラムを変更したり追加したりする際には、ＵＳＢメモリ等の着脱可能な記憶媒体（リムーバブルメモリ）を用いることが考えられる。すなわち、新しい、又は追加するプログラムを記憶したリムーバブルメモリを画像処理装置に接続して、そのプログラムを読み取らせて内蔵プログラムの書き換えを行う。また、内蔵パラメータ（機能有効／無効のフラグ、ＩＤ情報）の変更をする場合でも、新しいパラメータを記憶したリムーバブルメモリを画像処理装置に接続して、そのパラメータを読み取らせて書き換えを行う。
【０００５】
また、変更対象となる画像処理装置が多いときは、作業を楽に行うために、従来の画像処理装置では、リムーバブルメモリを接続すると、その中に記憶されているプログラムやパラメータの設定が自動的に行われるようになっている。そのため、内蔵プログラムや内蔵パラメータの書き換えとは別の機能を利用しようとしても、リムーバブルメモリにプログラムやパラメータが含まれている場合に、意図しない設定が行われてしまうという問題があった。
【０００６】
つまり従来の画像処理装置は、リムーバブルメモリを接続した際に、格納されているプログラム等を全て設定せざるを得なかった。また、複数のプログラムの中からどれかを選択して設定したり、又は何も設定しないで別の機能を利用することができなかった。そのため、自動設定をする時にユーザの意思を反映できるシステムが望まれていた。
【０００７】
本発明は上述のような事情を背景になされたもので、特に、リムーバブルメモリを接続した際に、変更対象となる画像処理装置が多いときであっても作業を楽に行え、かつユーザの意思を反映させながら画像処理装置を設定できるシステムを提供することを課題とする。
【課題を解決するための手段および発明の効果】
【０００８】
請求項１記載の発明は、
リムーバブルメモリが装着される画像処理装置の設定を行うシステムであって、
前記画像処理装置の設定のためのデータが格納された前記リムーバブルメモリが装着されたことを検出する装着検出手段と、
前記リムーバブルメモリの装着の際に特定の入力キーが操作されたかどうかを検知するキー操作検知手段と、
前記リムーバブルメモリが装着され、かつ前記特定の入力キーの操作が検知されたことにより、前記画像処理装置の前記設定を実行するか又は実行しないように制御する設定制御手段と、
を備えることを特徴とする画像処理装置設定システムである。
【０００９】
上記発明によると、プログラムやパラメータ等の設定データがリムーバブルメモリに格納されている。そして、そのリムーバブルメモリが装着され、かつ特定の入力キーが操作された場合に、画像処理装置の設定をするように制御される。例えばユーザが設定したいと考えていれば、リムーバブルメモリを装着する際に特定の入力キーを押せば設定がされる。また、ユーザが設定したくないと考えている場合は、リムーバブルメモリを装着する際に特定の入力キーを押さなければ設定されない。
【００１０】
また、上記発明によると、リムーバブルメモリが装着され、かつ特定の入力キーが操作された場合に、画像処理装置の設定をしないように制御できる。例えばユーザが設定したいと考えている場合は、リムーバブルメモリを装着する際に特定の入力キーを押さなければ設定がされる。また、ユーザが設定したくないと考えている場合は、リムーバブルメモリを装着する際に特定の入力キーを押せばよい。
【００１１】
つまり上記発明は、
・リムーバブルメモリ装着時に特定のキーが操作されていたら設定する。
・リムーバブルメモリ装着時に特定のキーが操作されていたら設定せず、操作されていなければ設定する。
のいずれかになっている。これによりユーザは、画像処理装置の設定を行うか否かの意思を、リムーバブルメモリ装着時に反映することが可能となる。
【００１２】
請求項２記載の発明は、
前記入力キーは複数個設けられ、
それぞれの前記入力キーに、異なる種類の前記設定が予め対応付けられており、
前記キー操作検知手段は前記複数個の入力キーのうち、どの入力キーが操作されたかを検知し、
前記設定制御手段は、前記操作された入力キーに対応する前記設定に関して実行するか又は実行しない制御を行う画像処理装置設定システムである。
【００１３】
上記発明によると入力キーが複数個設けられており、それぞれの入力キーに、異なる種類の設定が対応付けられている。例えばリムーバブルメモリに”PRINT001.set”と”PRINT002.set”の２つの設定プログラムを記憶しておき、１番のキーが押下された場合にPRINT001.setを実行し、２番のキーが押下された場合にPRINT002.setを実行する。これによりユーザは、複数の設定プログラムのうち、どの設定プログラムを使って設定を行うか選択することが可能となる。
【００１４】
また、選択されたプログラムによる設定がされないように制御してもよい。上記の例だと、１番のキーが押下された場合にPRINT001.set以外の設定を行い、２番のキーが押下された場合にPRINT002.set以外の設定を行う。これによりユーザは、設定したくないプログラムを選択することが可能となる。
【００１５】
請求項３記載の発明は、
前記リムーバブルメモリが装着され且つ前記特定の入力キーの操作が検知されなかった場合に、前記リムーバブルメモリに格納された画像データを読み出して印刷するダイレクト印刷モードに移行し、前記リムーバブルメモリが装着され且つ前記特定の入力キーの操作が検知された場合に、前記画像処理装置の設定モードに移行するモード移行手段を備える画像処理装置設定システムである。
【００１６】
上記発明によると、リムーバブルメモリが装着された際に特定の入力キーが操作されていなければダイレクト印刷モードになり、特定の入力キーが操作されていれば画像処理装置の設定モードになる。これによりユーザは、ダイレクト印刷モードと設定モードのいずれかを選択的に実行することが可能となる。
【００１７】
請求項４記載の発明は、
前記リムーバブルメモリに格納された前記画像データと前記設定データのうち、前記ダイレクト印刷モードでは前記画像データのみを表示し、前記設定モードでは前記設定データのみを表示するように制御する表示制御手段を備える画像処理装置設定システムである。
【００１８】
リムーバブルメモリには、画像処理装置の設定データ（プログラムやパラメータ）の他に、画像データが格納されている。通常、ダイレクト印刷モードでは画像データのみが必要となり、設定データを表示する必要はない。また、設定モードでは設定データのみが必要となり、画像データを表示する必要ない。そのため上記発明では、ダイレクト印刷モードでは画像データのみを表示し、設定モードでは設定データのみを表示している。これにより、いずれのモードでも必要なデータのみが表示されるようになり、使いやすい画像処理装置となる。
【００１９】
請求項５記載の発明は、
リムーバブルメモリが装着される画像処理装置の設定を行うシステムであって、
前記画像処理装置の設定のためのデータが格納された前記リムーバブルメモリが装着されたことを検出する装着検出手段と、
前記リムーバブルメモリの装着の際に特定の入力キーが操作されなかったかどうかを検知するキー操作検知手段と、
前記リムーバブルメモリが装着され、且つ前記特定の入力キーの操作がされなかったことが検知されたことにより、前記画像処理装置の前記設定を実行しないように制御する設定制御手段と、
を備えることを特徴とする画像処理装置設定システムである。
【００２０】
従来は、リムーバブルメモリを装着する際に入力キーの操作は求められず、設定がすぐに行われていた。しかし上記発明によると、リムーバブルメモリの装着時に入力キーが操作されないと設定されない。そのため、例えば画像データと設定プログラムが両方とも格納されたリムーバブルメモリを装着し、ダイレクト印刷をしたいとユーザが考えている場合でも、誤って設定をしなくてすむ。
【発明を実施するための最良の形態】
【００２１】
本発明の実施形態を、図面を参照しながら説明する。
本実施形態ではＦＡＸ機能、コピー機能、スキャナ機能を備えた複合機を画像処理装置２の例として用いるが、本発明を実施する上でこれらの全ての機能を備える必要はなく、少なくとも一つの機能を備えていれば足りる。
【００２２】
図１は画像処理装置２のブロック図である。図示するように、画像処理装置２はＣＰＵ６，ＲＡＭ７，ＲＯＭ８，ゲートアレイ９，ＮＣＵ（Network  Control  Unit：網制御装置）１０，モデム１１，ＥＥＰＲＯＭ１２，コーデック１３，ＤＭＡＣ（Direct  Memory  Access  Controller）１４などを含んで構成されている。これらの部品はバスライン２０により相互に接続されている。バスライン２０には、アドレスバス、データバス、および制御信号線が含まれる。また、ゲートアレイ９には読取部１５、印刷部１６、入力キー４（操作部）、表示部１７、リムーバブルメモリ３を装着するインターフェース（Ｉ／Ｆ）部１８、及び外部接続部１９が接続されている。ＮＣＵには、電話回線２１が接続されている。
【００２３】
リムーバブルメモリ３は例えばＵＳＢメモリやスマートメディア、コンパクトフラッシュ（登録商標）、小型ＨＤＤ等の記憶媒体であり、Ｉ／Ｆ部１８に着脱自在に装着されている。リムーバブルメモリ３には設定データ５や画像データ３０が記憶されており、画像処理装置２側でこれらのデータを読み取って、設定変更や画像印刷を行う。
【００２４】
図２に、リムーバブルメモリ３に記憶された情報の例を示す。このように、リムーバブルメモリ３に設定パラメータ５ａ、設定プログラム５ｂ、追加プログラム５ｃ、画像データ３０、キー設定情報２６が記憶されている。設定プログラム５ｂ等は”PRINT001.set”,”PRINT002.set”,”PRINT003.set”等のファイル名２８が付けられている。
【００２５】
設定パラメータ５ａ、設定プログラム５ｂ、追加プログラム５ｃの特徴を図３に示す。設定パラメータ５ａは例えば、印刷用紙のサイズや向き、使用するトレイや両面／片面などの、設定を行うためのパラメータである。設定プログラム５ｂは、画像処理装置２に記憶されているプログラム全体を書き換えるためのプログラムである。ここでプログラムとは例えば印刷プログラムや表示プログラムなどであり、これらに不具合があったりバージョンアップしたりする場合に書き換えが行われる。また、追加プログラム５ｃは画像処理装置２のプログラムに一部追加をするためのプログラムである。
【００２６】
画像処理装置２は複数の機種があり、設定データ５は機種毎に対応したものになっている。図３の例では、設定パラメータ５ａは機種１に対応するが、他の機種には対応しない。同様にして、設定プログラム５ｂは機種２に対応し、追加プログラム５ｃは機種３に対応している。
【００２７】
一方、図４に示すように、ＲＯＭ８には装着検出プログラム８ａ、キー操作検知プログラム８ｂ、設定制御プログラム８ｃ、モード移行プログラム８ｄ、表示制御プログラム８ｅ等の各種プログラムが記憶されている。
【００２８】
装着検出プログラム８ａは、リムーバブルメモリが装着されたことを検出するプログラムである。キー操作検知プログラム８ｂは、リムーバブルメモリがＩ／Ｆ部１８に装着された際に特定の入力キー４が操作されたかどうかを検知するプログラムである。設定制御プログラム８ｃは、リムーバブルメモリが装着され、かつ特定の入力キーの操作が検知されたことにより、画像処理装置２の設定を実行するか又は実行しないように制御するプログラムである。モード移行プログラム８ｄは、リムーバブルメモリ３が装着され且つ特定の入力キーの操作が検知されなかった場合にダイレクト印刷モードに移行し、リムーバブルメモリ３が装着され且つ特定入力キーの操作が検知された場合に、画像処理装置２の設定モードに移行するプログラムである。表示制御プログラム８ｅは、リムーバブルメモリ３に格納された画像データ３０と設定データ５のうち、ダイレクト印刷モードでは画像データ３０のみを表示し、設定モードでは設定データ５のみを表示するように制御するプログラムである。
【００２９】
これら装着検出プログラム８ａ、キー操作検知プログラム８ｂ、設定制御プログラム８ｃ、モード移行プログラム８ｄ、表示制御プログラム８ｅをＣＰＵ６が実行することで、本発明の装着検出手段、キー操作検知手段、設定制御手段、モード移行手段、表示制御手段がそれぞれ実現される。
【００３０】
図１に戻る。ＮＣＵ１０は公衆電話回線２１に接続されて回線の接続／切断等の網制御を行うものである。また、ＲＡＭ７はＣＰＵ６の作業領域や、読み取った画像の展開領域用ラインバッファメモリなどとして用いられる。モデム１１は、ファクシミリデータの変調や復調などを行う。ＲＯＭ８は図４に示す各種プログラムの他、設定値などのデータを記憶している。コーデック１３はファクシミリデータの符号化や復号化を行う。ＤＭＡＣ１４は、主にＲＡＭ７へのデータの書き込みや読み出しを行う。
【００３１】
ゲートアレイ９は、ＣＰＵ６と読取部１５等の各部との入出力インターフェースとして機能する。読取部１５は、イメージセンサやＬＥＤ光源などを備え、原稿などから文字や図形などの画像を読み取る。印刷部１６は、たとえばインクジェット方式あるいはレーザー方式などにより、文字や図形などの画像を印刷する。外部接続部１９は、たとえばセントロニクスパラレルインターフェイス、あるいはＵＳＢ（Universal Serial Bus）などといった規格に対応する接続ポートを備え、パーソナルコンピュータ（ＰＣ）との間でデータや信号を交換する。
【００３２】
ＥＥＰＲＯＭ１２（Electronically Erasable and Programmable ROM）は図１４に示すように、設定情報１２ａや各種プログラム１２ｂ〜１２ｄを記憶している。設定情報１２ａは、用紙のサイズや向き等の、画像処理装置２の設定に関する情報である。ＦＡＸ制御プログラム１２ｂ、スキャナ制御プログラム１２ｃ、コピー制御プログラム１２ｄは、それぞれＦＡＸ機能、スキャナ機能、コピー機能を制御するためのプログラムである。設定変更をする際には、リムーバブルメモリ３に記憶されている設定データ５が読み出され、設定情報１２ａや各種プログラム１２ｂ〜１２ｄの書き換えが行われる。
【００３３】
図１０に操作パネル２２の例を示す。このように、操作パネル２２に表示部１７、入力キー４、上下スクロールキー２３、実行キー２４、キャンセルキー２５等が配置されており、ユーザはこれらのキーを操作することで、画像処理装置２を操作したり、設定を行ったりする。入力キー４は、図１０の実施例ではテンキーとされているが、文字を入力するキーであってもよい。また、表示部１７はＬＣＤなどのパネルであって、動作状態や操作ガイダンスなどを表示する。
【００３４】
次に、キー設定情報２６の例を図５に示す。このようにキー設定情報２６には、入力キー４に関する情報２７と、設定するか又はしないかの情報２９とが互いに対応付けられている。図５の例では、リムーバブルメモリ３を装着し、それと同時に１キーが押されている場合に、プログラムの設定をし、２〜９キーのいずれかが押された場合には、プログラムの設定をしない。リムーバブルメモリ３に図２のようにプログラム等が記憶されている場合、１キーを押しながらリムーバブルメモリ３を差し込むと、”PRINT001.set”,”PRINT002.set”,”PRINT003.set”の全てのプログラムの設定がされる。また、２〜９キーのいずれかを押しながらリムーバブルメモリ３を差し込んでも、何も設定されない。
【００３５】
キー設定情報２６の別の例を図６に示す。この例では、リムーバブルメモリ３を装着し、それと同時に２キーが押下されている場合に、プログラムの設定をせず、１キーおよび３〜９キーのいずれかが押下されている場合には、設定がされる。例えば１キーを押しながらリムーバブルメモリ３を差し込むと、”PRINT001.set”,”PRINT002.set”,”PRINT003.set”の全てのプログラムの設定がされる。３〜９キーのいずれかを押下しても同様である。また、２キーを押しながらリムーバブルメモリ３を差し込むと、何も設定がされない。
【００３６】
図５、図６のようにキー設定をすることで、画像処理装置２の設定を行うか又は行わないかを、リムーバブルメモリ３の装着時にユーザの意思で制御できるようになる。
【００３７】
キー設定情報２６の別の例を図７に示す。この例では、入力キー４に関する情報２７と、設定データ５のファイル名２８と、設定するか又はしないかの情報２９が対応付けられている。例えば、リムーバブルメモリ３を装着する際に１キーを押下するとPRINT001.setが設定され、２キーを押下するとPRINT002.setが設定され、３キーを押下するとPRINT003.setが設定される。また、リムーバブルメモリ３の装着時に４キーを押下すると全ての設定プログラム５ｂの設定がされ、５キーを押下すると全ての設定プログラム５ｂの設定がされない。６〜９キーを押下したり、どれも押下しなかった場合は、どの設定プログラム５ｂの設定もされない。
【００３８】
なお、キー設定情報２６は、図２に示すようにリムーバブルメモリ３に記憶してもよいし、ＲＯＭ８に記憶してもよい。キー設定情報２６をリムーバブルメモリ３に記憶する場合は、ファイル名２８と入力キー４の対応をユーザが自由に設定することが可能となる。ＲＯＭ８に記憶する場合は、ファイル名２８を固定にする。
【００３９】
大きな会社では多数の画像処理装置２を使用しており、部署毎に異なる設定プログラム５ｂを用いたり、異なる設定パラメータ５ａを用いたりする場合がある。これら多数の画像処理装置２のプログラムを変更する場合、従来はリムーバブルメモリ３を装着した際に、その中に記憶されている設定プログラム５ｂで自動的に設定されてしまうため、リムーバブルメモリ３には部署毎、または機種毎に対応した設定プログラム５ｂを１種類だけしか記憶させることができなかった。そのため、画像処理装置２の設定変更をする者（例えばサービスマン）は、複数個のリムーバブルメモリ３を持ち、その中から部署または機種に対応した設定プログラム５ｂが記憶されているリムーバブルメモリ３を選ぶ必要があった。しかし図７の実施例では、１個のリムーバブルメモリ３に複数種類の設定プログラム５ｂを記憶し、そのうちのどれかを選択して設定させることが可能であるため、サービスマンは複数個のリムーバブルメモリ３を持つ必要がない。
【００４０】
次に図８、図９のフローチャートを用いて、装着検出プログラム８ａ、キー操作検知プログラム８ｂ、設定制御プログラム８ｃの動作について説明する。まず、ユーザがリムーバブルメモリ３を装着すると（Ｓ１）、装着されたことが装着検出プログラム８ａによって検出される（Ｓ２）。次にＳ３に移り、リムーバブルメモリ３の装着と同時に押下されたキーを取得する。ここでは、例えば入力キー４がテンキーである場合、１〜９のうちのどれが押下されたか、又はどれも押下されていないかを検出する。その後、Ｓ４の設定可否判断処理を行う。
【００４１】
Ｓ４の処理は、図９に示すように、Ｓ７〜Ｓ１２のステップからなる。まずＳ７では、キー設定情報２６（図５〜６参照）を検索し、押下された入力キー４に対応付けられた情報を取得する。次にＳ８に移り、設定をするか否かの判断を行う。例えば図７のようにキー設定がされている場合、何もキーを押さなければ“設定しない”と判断されて、Ｓ１２に移る。また、キー１〜４のどれかを押下すれば“設定する”と判断されて、Ｓ９に移る。Ｓ９では、対応する設定プログラム５ｂをリムーバブルメモリ３の中から検索する。その後、設定データ５が存在するか否かを判断し（Ｓ１０）、存在すればＳ１１に移り、存在しなければＳ１２に移る。
【００４２】
Ｓ４（Ｓ７〜Ｓ１２）の処理が終了した後、図８のＳ５に移り、設定の可否を判断する。ここでは、設定プログラム５ｂが画像処理装置２の機種に対応したものであるか否かを判断する。ここで設定可能の場合はＳ６に移って設定処理を実行し、設定できない場合はＳ６を飛ばして終了する。
【００４３】
次に図１０〜図１２を使って、本発明の別の実施形態について説明する。図１０は、ダイレクト印刷モードの表示例である。上述したように、リムーバブルメモリ３には設定パラメータ５ａ、設定プログラム５ｂ、追加プログラム５ｃ、画像データ３０、キー設定情報２６等が記憶されている（図２参照）。リムーバブルメモリ３を装着した際に入力キー４を何も押下しないと、ダイレクト印刷モードに移行し、図１０の表示がされる。ダイレクト印刷モードは、リムーバブルメモリ３に記憶された画像データ３０を読み出して、パーソナルコンピュータ等を介さずに印刷するためのモードである。このモードでは、設定パラメータ５ａや設定プログラム５ｂ等は必要ないため、表示されない。
【００４４】
ダイレクト印刷モードでは図１０に示すように、印刷可能な画像データ３０のファイル名２８が表示され、その右側に選択マーク３１が表示される。ユーザは上下キー２３を操作することにより、表示中の画像データ３０のいずれかを選択することが可能である。そして実行キー２４を押下すると、選択された画像データ３０が印刷される。
【００４５】
一方、リムーバブルメモリ３を装着した際に特定の入力キー４を押下すると、図１１の設定モードに移行する。設定モードでは、設定パラメータ５ａや設定プログラム５ｂのファイル名２８が表示され、選択および設定が可能になっている。このモードでは画像データ３０は不要なので、表示されない。
【００４６】
ダイレクト印刷モード又は設定モードを表示する際のフローチャートを図１２に示す。ユーザがリムーバブルメモリ３を装着すると（Ｓ１３）、装着されたことが装着検出プログラム８ａによって検出される（Ｓ１４）。次にＳ１５に移り、リムーバブルメモリ３の装着と同時に押下されたキーを取得する。ここでは、例えば入力キー４がテンキーである場合、数字１〜９のうちのどれが押下されたか、又はどれも押下されていないかを検出する。その後、キー設定情報２６を取得する（Ｓ１６）。この実施例のキー設定情報２６は、例えば図１３に示すように、特定の入力キー４と、移行するモードとを対応付けたものである。この例では、１〜９キーのいずれか一つが押下された場合は設定モードに移行し、どれも押下されない場合はダイレクト印刷モードに移行するようになっている。
【００４７】
図１２に戻る。Ｓ１６の処理が終了した後、ダイレクトモードに移行するか否かの判断を行う（Ｓ１７）。ここでＹｅｓの場合はＳ１８に移ってダイレクト印刷モードを表示する。また、Ｎｏの場合はＳ１９に移り、設定モードを表示する。
【００４８】
このように上記実施例では、リムーバブルメモリ３を装着した際に特定の入力キー４が操作されていれば設定モードに移行し、操作されていなければダイレクト印刷モードに移行するので、どちらのモードにするかユーザが決めることができる。
【００４９】
また、設定モードよりもダイレクト印刷モードを使用することが多い。使用頻度が高いダイレクト印刷モードに移行する時は、入力キー４の操作が必要でないため、操作が簡単である。
【図面の簡単な説明】
【００５０】
【図１】画像処理装置のブロック図。
【図２】リムーバブルメモリに記憶されている情報の例。
【図３】設定データの特徴をまとめた表
【図４】ＲＯＭに記憶されているプログラム。
【図５】キー設定情報の例。
【図６】キー設定情報の他の例。
【図７】キー設定情報の他の例。
【図８】全体のフローチャート。
【図９】設定可否判断をするためのフローチャート。
【図１０】ダイレクト印刷モードの表示例。
【図１１】設定モードの表示例。
【図１２】図８、図９とは別のフローチャート。
【図１３】キー設定情報の他の例。
【図１４】ＥＥＰＲＯＭに記憶されている情報。
【符号の説明】
【００５１】
１  画像処理装置設定システム
２  画像処理装置
３  リムーバブルメモリ
４  入力キー
５  設定データ
８ａ  装着検出プログラム
８ｂ  キー操作検知プログラム
８ｃ  設定制御プログラム
８ｄ  モード移行プログラム
８ｅ  表示制御プログラム
３０  画像データ
【図１】
2007274459.tif 000003
【図２】
2007274459.tif 000004
【図３】
2007274459.tif 000005
【図４】
2007274459.tif 000006
【図５】
2007274459.tif 000007
【図６】
2007274459.tif 000008
【図７】
2007274459.tif 000009
【図８】
2007274459.tif 000010
【図９】
2007274459.tif 000011
【図１０】
2007274459.tif 000012
【図１１】
2007274459.tif 000013
【図１２】
2007274459.tif 000014
【図１３】
2007274459.tif 000015
【図１４】
2007274459.tif 000016